Podtech/llm-jp-corpus-v4-ja_patent huggingface dataset:
(57)【要約】      （修正有）【課題】銛矢を内蔵した擬似鳥を捕獲すべく鴨などの水鳥に近ずけて射止める。【解決手段】ボンベ１０に自転車の空気入れ器で空気を充満させ、テレビモニターで水鳥に照準を合せリモートコントロールによりスイッチ３を作動させ開放口６を開き圧縮空気が瞬時に銛矢１を発射させる。【選択図】図２
0003136724.tif 000002
【実用新案登録請求の範囲】
【請求項１】
本考案は銛矢を内蔵した模型の水鳥を乗せたボートを厭離操作で、捕獲すべく水鳥の泳いでいる所まで進ませテレビモニターで照準を合わせ、銛矢で捕獲すべく鳥を射止める装置。
【考案の詳細な説明】
【技術分野】
【０００１】本考案は鴨などの水鳥を銛矢で射止めることを目的とする。
【考案の開示】
【考案が解決しようとする課題】
【０００２】銛矢を内蔵した擬似鳥を乗せたボートを捕獲すべく泳いでいる水鳥に近ずけ射止める。
【課題を解決するための手段】
【０００３】本考案は、ボンベ１０に自転車の空気入れ器で空気を充満させ、テレビモニターで水鳥に照準を合せリモートコントロウルによりスイッチ３を作動させ開放口６を開き圧縮空気が瞬時に銛矢を発射させる。
【考案の効果】
【０００４】泳いでいる鴨などは模型の擬似鳥が近ずいても気にとめず、容易に捕獲することが出来る。
【考案を実施する為の最良の形態】
【０００５】テレビノニターを見ながら捕獲すべく水鳥に接近し、銛矢を発射させる。
【実施例】
【０００６】上述の様に銛矢を内蔵した模擬鳥をリモコンで鴨などの水鳥に近ずけテレビモニターで狙い銛矢を発射する。
【産業上の利用可能性】
【０００７】銃を持ちボートで近ずけば鴨などの水鳥はただちに警戒し飛びたってしまうが、本考案の模擬鳥は捕獲すべく鳥に近ずいても警戒せず容易に射止める事ができる。
【符号の説明】
１    銛矢
２    テレビカメラ
３    スイッチ
４    電池
５    圧宿空気の吸入口
６    圧宿空気の開放口
７    スクリュウ
８    水鳥の模型
９    ボート
１０    圧宿空気ボンベ
【図１】
0003136724.tif 000003
【図２】
0003136724.tif 000004
【図３】
0003136724.tif 000005
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
本考案は銛矢とテレビカメラを内蔵した模型の水鳥を乗せたボートを厭離操作で、捕獲すべく水鳥の泳いでいる所まで進ませテレビモニターで照準を合わせ、銛矢で捕獲すべく鳥を射止める装置。
(57)【要約】      （修正有）【課題】強度の大きいレバーを取り付けることにより、片手でも安全で十分な締め付け力の得られるチャック用レバーを提供する。【解決手段】十分な強度を持つボスにギヤー取り付け用のボス穴を開け、そのボス穴の軸方向に直角に十分な太さを持つ長めのレバーを設ける。ボス穴にシャフトと一体に成型されたギヤーを挿入して、固着手段によってギヤーシャフトを固定する構造のチャック用レバーとする。【選択図】図１
0003136767.tif 000002
【実用新案登録請求の範囲】
【請求項１】
ボール盤や旋盤に用いられるドリルを固定するためのドリルチャック締め付け用工具において、ボスに直交する形で所定長さのレバーが設けられており、該ボスにはボス穴が形成されてあって、このボス穴には一端にギヤーが設けられているシャフトが一体的に設けられており、このシャフトはボス穴に固着手段をもって止められていることを特徴とするチャック用レバー。
【考案の詳細な説明】
【技術分野】
【０００１】  本考案はボール盤や旋盤作業の時に用いるドリルチャックの締め付け用レバーに関するものである。
【背景技術】
【０００２】  従来のドリルチャックは図３に示すようにギヤーが一体的に加工されたシャフトにその軸と直交するハンドルがシャフトの両側に突き出るよう取り付けられている。
尚、関連技術に下記文献がある。
【特許文献１】登録実用新案番号  第３００９９２６号公報  上記特許文献１による考案は図４に示すようにハンドルと中空軸を一体としたものにギヤーとつながる本体シャフトがボルトナットを介して止められている工具が記載されている。
【考案の開示】
【考案が解決しようとする課題】
【０００３】  従来のチャックハンドルのハンドル部は細く短いためにドリルの締め付け力が弱く、ドリルの滑り等を招くことがあった。強く締め付けようとすると掌にハンドルの端部が当たるため痛いばかりかギヤーがチャックから外れて怪我をする恐れもある。このためパイプをハンドルへ挿入したり、工具を使用してハンドルを回そうとすると、ハンドルが曲がったり折れる問題があった。【０００４】  また、上記特許文献１ではレバーが両側に長く、締め付けに寄与しない他方のレバーがボール盤本体等にぶつかるため、回転角度の範囲が狭く、作業性が良いとは言えない。また、ボルトが中空軸の外側にあるため、ドリルの締め付け作業時にこれが指に当たり傷を負う等の安全上の問題がある。本考案では上記問題を解決し、強度の大きいレバーを取り付けることにより片手でも安全で十分な締め付け力の得られるチャック用レバーを提供することを目的とするものである。
【課題を解決するための手段】
【０００５】  本考案は上記課題を解決するために、ボスに直交する形で所定長さのレバーを設けて、該ボスにはボス穴を形成し、このボス穴には一端にギヤーが設けられているシャフトを一体的に設け、このシャフトをボス穴に固着手段をもって止めることを特徴とするチャック用レバーを提供する。
【考案の効果】
【０００６】本考案は上記構成からなるので、以下に示す効果が期待できる。
１．  レバーがギヤーシャフトに対して非対称となっているので、チャックを締め付けるときにボール盤等の他の構成物にぶつかりにくい。
２．  レバーが太いため締め付け時に変形せず力を入れやすい。
３．  操作部に突起物がないため安全である。
【考案を実施するための最良の形態】
【０００７】  以下本考案の実施の形態を図面を参照して説明する。図１乃至図２に示すようにのボス１に直交する形で長さ１０ｃｍ〜１５ｃｍ程度のレバー２が設けられてあって、このボス１には１．０ｃｍ〜１，５ｃｍぐらいのボス穴６が穿けられてある。このボス穴６には一端にギヤー４がもうけられたシャフト３が挿入される形で作られてあって、このボス穴６にシャフト３が止めネジ５等の固着材を持って止められるが、固着手段はこの外にボルトや丸ビス、ノックピン等の機械的締結手段または溶接等であっても良い。また、ボス１とレバー２は機械加工や鍛造加工などによって一体的に作ることができるが、分割して作って溶接、ねじ込みなどによって一体化しても良い。
【産業上の利用可能性】
【０００８】  本考案は製造業で広く用いられているボール盤や旋盤に使用されるドリルチャックの締め付け用ハンドルの問題点を改善したものであるが、ギヤー部を角頭にすると旋盤などのスクロールチャックや単動チャックに使える等他の用途にも応用が可能である。
【図面の簡単な説明】
【図１】    本考案による新型チャックハンドルの正面図である。
【図２】    本考案による新型チャックハンドルの下面図である。
【図３】    従来のドリルチャックハンドルの正面図である。
【図４】    特許文献１によるドリルチャックハンドルヘルパーの正面図である。
【符号の説明】
１．ボス
２．一体型レバー
３．シャフト
４．ギヤー
５．止めボルト
６．ボス穴
７．本体シャフト
８．ハンドル
９．レバー一体型中空軸
１０．ボルトナット
【図１】
0003136767.tif 000003
【図２】
0003136767.tif 000004
【図３】
0003136767.tif 000005
【図４】
0003136767.tif 000006
(57)【要約】      （修正有）【課題】従来の刺股では、暴漢等相手を押え込む程度で捕える事は困難であり、又押え付けても、自分より頑強な相手であれば逆に奪い取られ逆襲される恐れ等があり、これらの不具合を解消する。【解決手段】外れない刺股は、狭み込み片３を刺股雄と刺股雌２の間に装置し、押し当部４を相手の身体に押し当てる事に依り、一瞬にして狭み込む事が出来る。引きバネ１４の力に依り、ロック弁受け部５のロック歯凹２２と、ロック弁７の結合で狭み込み片３は完全にロックされる。尚身体を動かす事に依り一段と締め付ける事で、刺股が外れないようにする。【選択図】図１
0003136764.tif 000002
【実用新案登録請求の範囲】
【請求項１】
刺股雄に設けた支点台座を支点として、押し当て部、ロック弁受け部、支点穴を付した狭み込み片を、更らにロック弁を装置した刺股雄、雌を合体させた事で瞬時に、ロックの掛る事が出来る所を特徴とする、外れない刺股。
【考案の詳細な説明】
【技術分野】
【０００１】  本考案は、刺股の支点台座を支点軸として、狭み込み片の作動に依り、ロック出来る外れない刺股に関するものである。
【背景技術】
【０００２】  従来の刺股は、押すのみで、相手に奪い取られる恐れがあった。
【考案の開示】
【考案が解決しようとする課題】
【０００３】  従来の刺股では、押す事、押える事は出来ても、自分より相手の力が勝っていれば、逆に取り上げられ逆襲される恐れもあり不具合である。従って一度相手を狭み込めば外れる事がなく捕り押える事が出来る。又相手に刺股が固定の状態であれば自分が逃げ出す事も容易であり、前逑の欠点を解決している。
【課題を解決するための手段】
【０００４】  この課題を解決するための請求項１の考案は、変形した片に支点穴２５を設け、押し当て部４とロック弁受け部５にロック歯凹２２ロック歯凸２３を付した狭み込み片３（図５）を刺股雄１の支点台座８に装着し、狭み込み片３と刺股雄１をリング形スプリング６で連結する。さらにロック弁７にワイヤ１５と引きバネ１４を、引きバネ・ワイヤ留１２で固定する。尚一方の引きバネ１４の端を、引きバネ留ボッチ１１で固定し、ロック弁７をロック歯凹２２に合せ、ワイヤ１５をワイヤ交差支柱１０に掛け、長柄１６に設置の開錠レバー１８に連結して、刺股雄１と刺股雌２を合体し固定ネジ１３で固定する事で問題を解決している。
【考案の効果】
【０００５】  よって本考案の、外れない刺股は、刃物等を持った犯人から自分の身を守るために、相手の腹部、胸部、腰、膝、足等に押し当てることで、押し当て部４の作動に依り狭み込み片３の先端２６が、相手を巻き込む形で締め付け、さらにロック歯凹２２とロック弁７を、引きバネ１４の力に依り噛み合う事で狭み込み片３が開かない、よって本考案の外れない刺股が外れる事は出来ない。【０００６】  また犯人が、自転車、バイク等で逃走する場合であっても、長柄１６が障害になり逃走の妨げになる、車での逃走であっても長柄１６に依り、ドアー等が締らず、捕り押える事も可能である。【０００７】  さらに、万一狭み込みに失敗を生じても、開錠レバー１８を作動する事でロック弁７を解除し、一瞬に左右の狭み込み片３がリング形スプリング６の作用で開き、即座にやり直す事が出来る。
【考案を実施するための最良の形態】
【０００８】  本考案は、刺股部と長柄をプラスチック等適宣素材にて一体形成されたものであるが、長柄部と刺股部を別製造として、長柄部を後で取り付ける事も容易である、又材質にあっても、軽金属等の使用も可能である。
【図面の簡単な説明】
【０００９】
【図１】本考案の外れない刺股の正面図である。
【図２】本考案の側面図である。
【図３】本考案の一部切欠正面図である。
【図４】本考案が作動した状態の正面図である。
【図５】本考案の狭み込み片の単体正面図である。
【符号の説明】
【００１０】  １    刺股雄
２    刺股雌
３    狭み込み片
４    押し当て部
５    ロック弁受け部
６    リング形スプリング
７    ロック弁
８    支点台座
９    台座
１０  ワイヤ交差支柱
１１  引きバネ留ボッチ
１２  引きバネ・ワイヤ留
１３  固定ネジ
１４  引きバネ
１５  ワイヤ
１６  長柄
１７  開錠レバー用孔
１８  開錠レバー
１９  開錠レバー支点
２０  把り
２１  くぼみ
２２  ロック歯凹
２３  ロック歯凸
２４  ロック弁のスライドエリア
２５  支点穴
２６  狭み込み片の先端
２７  固定ネジ穴
【図１】
0003136764.tif 000003
【図２】
0003136764.tif 000004
【図３】
0003136764.tif 000005
【図４】
0003136764.tif 000006
【図５】
0003136764.tif 000007
(57)【要約】      （修正有）【課題】介護人を部屋で入浴させる。【解決手段】浮輪８の中に袋９を入れ家庭用の浴槽１のお湯を引く事により風呂にした。【選択図】図１
0003136763.tif 000002
【実用新案登録請求の範囲】
【請求項１】
介護人を部屋で入浴させる事を目的とした
風呂で浮輪の中に入湯、排水のホースを付けた袋を入れ、家庭用の浴槽からお湯を引き風呂にした所を特微とする介護用浮輪風呂
【考案の詳細な説明】
【技術分野】
【０００１】介護人をその部屋で入浴させる事
【背景技術】
【０００２】浮輪の中に袋を入れ家庭用の浴槽からポンプでお湯を引く事により風呂にした
【考案の開示】
【考案が解決しようとする課題】
【０００３】介護人をその部屋で入浴させる事
【課題が解決する為の手段】
【０００４】介護人の部屋に浮輪で出来た風呂を作る事
【考案の効果】
【０００５】介護人が常に入浴出来る
【実施するための最良の形態】
【０００６】空気でふくらました浮輪に、入湯、排水のホースを付けた袋を入れ風呂にしたもの
【実施例】
【０００７】家庭用の浴槽のお湯をモーターで引き袋の中に入れ風呂にする
【図面の簡単な説明】
【０００８】
【図１】浮輪風呂の全体図
【符号の説明】
【０００９】１．家庭用浴槽
２．入湯ポンプ
３．入湯ホース
４．バルブ
５．排水ポンプ
６．排水ホース
７．とじひも
８．浮  輪
９．浴槽用袋
【図１】
0003136763.tif 000003
(57)【要約】      （修正有）【課題】介護人を部屋で入浴させる。【解決手段】浮輪６の中に入湯、排水のホース２，５を付けた袋４を入れ太陽熱湯沸し１からお湯を引く事により風呂にした。【選択図】図１
0003136762.tif 000002
【実用新案登録請求の範囲】
【請求項１】
介護人を部屋で入浴させる事を目的とした
風呂で浮輪の中に入湯、排水のホースを付けた袋を入れ太陽熱湯沸しからお湯を引いて風呂にした所を特徴とする介護用浮輪風呂
【考案の詳細な説明】
【技術分野】
【０００１】介護人をその部屋で入浴させる事
【背景技術】
【０００２】浮輪の中に袋を入れ太陽熱湯沸からお湯を引く事により風呂にした
【考案の開示】
【考案が解決しようとする課題】
【０００３】介護人を  その部屋で入浴させる事
【課題が解決する為の手段】
【０００４】介護人の部屋に浮輪の風呂を作る事
【考案の効果】
【０００５】介護人が常に入浴出来る
【実施するための最良の形態】
【０００６】空気でふくらませた浮輪の中に入湯、排水のホースを付けた袋をいれたもの
【実施例】
【０００７】太陽熱湯沸しから浮輪の中の袋にお湯を引く事により風呂にした
【図面の簡単な説明】
【０００８】
【図１】浮輪風呂の全体図
【符号の説明】
【０００９】１．太陽熱湯沸
２．入湯ホース
３．バルブ
４．入湯用袋
５．排水ホース
６．浮輪
【図１】
0003136762.tif 000003
(57)【要約】      （修正有）【課題】簡単に天板等を上下移動できるようにした組立式学習机の提供。【解決手段】天板１と側板２と補強板３とからなり、側板の上下方向に複数の天板取付穴を列設すると共に、後部天板取付穴の後部に天板取付穴と同位置に並列する補強板取付穴を設けている。これにより、天板の高さを調節できるようになる。【選択図】図１
0003136761.tif 000002
【実用新案登録請求の範囲】
【請求項１】
上下方向に複数の天板取付穴２１、２２を一定ピッチで列設すると共に、後部天板取付穴２２の後部に天板取付穴と同位置に並列する補強板取付穴２３を設けている側板の取付穴２１，２２の適宜位置に、天板の左右側面に前記天板取付穴２１，２２に対応する位置に鬼目ナットを埋め込んでいる前後部固定穴１１、１２を合致させてネジ止めし、補強板取付穴２３には補強板をネジ止めしてなる組立式学習机
【請求項２】
上下方向に複数の天板取付穴２１、２２を一定ピッチで列設すると共に、後部天板取付穴２２の後部に天板取付穴と同位置に並列する補強板取付穴２３を設け、後部天板取付穴２２の前方部に、前部固定穴１１を中心として上方に回動させたときに斜め位置固定穴１３と対応する位置に上下方向に複数の天板斜め位置取付穴２４を一定ピッチで列設している側板の前部取付穴２１の適宜位置に、天板の左右側面に前記天板取付穴２１に対応する位置に鬼目ナットを埋め込んでいる前部固定穴１１を合致させてネジ止めするとともに、天板斜め位置取付穴２４に天板の後部固定穴１２をネジ止めし、補強板取付穴２３には補強板をネジ止めしてなる組立式学習机
【考案の詳細な説明】
【技術分野】
【０００１】  本考案は、学童の成長に応じて天板の調節ができる組立式学習机に関するものである。
【背景技術】
【０００２】  成長期の学童の学習机は、当初は体型に合わせて購入しても成長が早くすぐに窮屈になってしまうことから天板を上下できるようにした机はある（特許文献１）。【０００３】  しかし、天板に支持版を取付けているため天板が重量を増すこととなり、その調節作業が大掛かりとなり一人で調節作業を行うのは難しいものであった。【０００４】  そこで、一人で組立や調節が容易にすることできる学習机が望まれていた。【０００５】
【特許文献１】特許第３４７４７３１号公報
【考案の開示】
【考案が解決しようとする課題】
【０００６】  本考案は、上述した従来技術の欠点を除くためになされたものである。即ち、簡単に天板等を上下移動できるようにしたものであって、一人でも高さの調節ができるようにすることをその目的とするものである。【０００７】  このようにすることによって、学童の成長に応じた天板の高さの調節を容易に行うことができる。
【課題を解決するための手段】
【０００８】  このような問題点を解決するために、本考案は、天板と側板と補強板とからなって、側板の上下方向に複数の天板取付穴を列設すると共に、後部天板取付穴の後部に天板取付穴と同位置に並列する補強板取付穴を設け、天板の高さを調節できるようにしたことを特徴とするものである。【０００９】  また、天板を傾斜させて使用できるように、後部天板取付穴の前部に前部天板取付穴と後部天板取付穴と等距離となるように天板斜め位置取付穴を設けている。
【考案の効果】
【００１０】  本考案は、このような構成であるので、天板と側板と補強板とを固定するだけで天板の高さを調節することができる。【００１１】  また、補強板は、上下に設けることによって強度を増すことができ、また下部補強板は断面Ｌ字型としていると足置きや棚として利用することができる。【００１２】  このように本願考案は、単に天板の位置だけを変えるのではなく、補強板の位置を変えることができるので、天板と補強板の相乗効果によってより強度が増すこととなり、安心して利用することができる。【００１３】  また、天板は平行に位置するだけでなく、斜め方向にも移動することができるので絵を描くときなどには便利である。
【考案を実施するための最良の形態】
【００１４】
【実施例】
【００１５】  実施例について図面を参照して説明すると、図１において、１は天板、２は左右一対の側板、３は補強板、４は棚である。【００１６】  天板１の左右側面には、鬼目ナットを埋め込んでいる前後部固定穴１１、１２を設けている。また、後部固定穴１２の前方部には、鬼目ナットを埋め込んでいる斜め位置固定穴１３を設けている。【００１７】  側板２には、上下方向に複数の天板取付穴２１、２２を一定ピッチで列設すると共に、後部天板取付穴２２の後部に天板取付穴と同位置に並列する補強板取付穴２３を設けている。そして、後部天板取付穴２２の前方部に、前部固定穴１１を中心として上方に回動させたときに斜め位置固定穴１３と対応する位置に上下方向に複数の天板斜め位置取付穴２４を一定ピッチで列設している。【００１８】  補強板３は、側板２の補強板取付穴２３の間隔と同間隔に鬼目ナットを埋め込んだ固定穴３１、３２を上下方向に列設している。【００１９】  棚４は、縦板４Ａと横板４Ｂとからなる断面Ｌ字型に構成し、縦板４Ａは、補強板取付穴２３と一致する位置に鬼目ナットを埋め込んだ固定穴４１を設け、横板４Ｂには、後部天板取付穴２２と一致する位置に鬼目ナットを埋め込んだ固定穴４２を設けている。【００２０】  そして、天板１の前後部固定穴１１、１２を学童の身長に応じた高さ位置の側板２の天板取付穴２１、２２に合致させ、ネジ５で緊締すればよい。【００２１】  なお、前部天板取付穴２１の適宜位置に天板１の前部固定部１１をネジ止めし、前方向傾斜とするときは、前部固定部１１よりも上方の天板斜め位置取付穴２４に天板の斜め位置固定穴１３をネジ止めすることにより天板を前方に傾斜させることができる。
【図面の簡単な説明】
【００２２】
【図１】  本考案の斜視図である。
【図２】  本考案の側面図である。
【図３】  本考案で使用する天板の側面図である。
【図４】  本考案で使用する補強板の側面図である。
【図５】  本考案で使用する棚の側面図である。
【符号の説明】
【００２３】  １    天板
２    側板
３    補強板
４    棚
【図１】
0003136761.tif 000003
【図３】
0003136761.tif 000004
【図５】
0003136761.tif 000005
【図２】
0003136761.tif 000006
【図４】
0003136761.tif 000007
(57)【要約】      （修正有）【課題】ラックの位置を自由に変更できる組立て式収納棚の提供。【解決手段】組立て式収納棚は、複数の上端が弧状の主棒架からなり、主棒架は両端が対で上端近くで連接固定され、上端が拡大開口を形成する。対の主棒架の間に少なくとも一つの置物架、及び／又は、横棒を固定し、置物架により物品を放置する。横棒は、ハンガーを掛けたり、吊り棚を提供し、主棒架上端の開口は掛け棒を有し、掛け棒は物品を掛ける。【選択図】図２
0003136995.tif 000002
【実用新案登録請求の範囲】
【請求項１】
組立て式収納棚であって、
上端が弧状で、対で上端近くで連接固定され、上端は拡大開口を形成し、下端に底座を有する複数の主棒架と、
前記対の主棒架の間に固定され、最下方が前記底座上に位置する複数の置物架と、
前記対の主棒架間に固定される複数の横棒と、
前記各主棒架上端の開口に位置する掛け棒と、
からなることを特徴とする組立て式収納棚。
【請求項２】
前記対の主棒架の上端近くに、それぞれ、相互に嵌合する槽を有し、且つ、前記槽の辺縁は補強ブロックを有し、前記両槽が相互に嵌合して、両主棒架が交差連接することを特徴とする請求項１に記載の組立て式収納棚。
【請求項３】
前記対の主棒架の上端近くに、それぞれ、湾曲部を有し、前記両主棒架の湾曲部が相互寄合し、固定素子により両湾曲部を固定することを特徴とする請求項１に記載の組立て式収納棚。
【考案の詳細な説明】
【技術分野】
【０００１】
本考案は組み立てと分解が簡単な組立て式収納棚に関するものである。
【背景技術】
【０００２】
公知のラックや棚は固定形式であり、使用者が必要に応じて変化させ、任意に取り外して再組み立てすることができない。この種の功能が必要な場合、通常は、ビニール布製の簡易式ラックを購買する必要があるが、この種のラックは、質感が悪く、強度と美観に欠ける。
【考案の開示】
【考案が解決しようとする課題】
【０００３】
本考案は、公知のラックの任意に変化できない欠点や、一般のビニール布製の簡易式ラックの強度と美観に欠ける欠点を改善する組立て式収納棚を提供することを目的とする。
【課題を解決するための手段】
【０００４】
本考案の組立て式収納棚は、堅固な木材から製造され、少ない主要素子でラックを構成する。ラックは衣類を掛けたり、吊るしたり、更には、吊り棚を吊るすことができる。使用者は必要に応じてラックの位置を変化させることができ、分解して、再組み立てすることもできる。
【０００５】
本考案の組立て式収納棚は、ラックに収納する衣類の多寡により必要な数量の置物架と横棒を装着することができる。
【０００６】
本考案の組立て式収納棚は、ラックの下方にローラーを設置し、移動させることができる。
【考案の効果】
【０００７】
本考案の収納棚は、使用者が必要に応じてラックの位置を変化させたり、分解して、再組み立てすることもできる。
【考案を実施するための最良の形態】
【０００８】
図１と図２は、本考案の第一実施例の構造を示す図で、複数の対の主棒架1A、及び、１B、複数の横棒２、複数の置物架３と掛け棒４、からなる。主棒架1A、及び、１Bは、木材からなり、上端が弧状を呈し、その製造方式は、木材を所定の弧状に湾曲させて、適当に加熱、加圧して定型させる。対の主棒架1A、及び、１Bは上端に近いところに、それぞれ、相互に嵌合する槽１１を設置し、槽１１の辺縁は補強ブロック１２を設置する。各主棒架１A、１Bの下端は、水平の底座１４を設置し、対の主棒架1A、及び、１Bの対応位置は複数のホール１３を有する。対の主棒架1A、及び、１Bは、両槽１１により相互に嵌合して、二主棒架が交差して連結固定し、両主棒架の間の上端は拡大開口を形成する。両主棒架は槽１１により嵌合後、補強ブロック１２により支持し、主棒架が槽１１から外れるのを防止する。各主棒架上端が形成する開口は、掛け棒４を放置し、掛け棒４は吊り棚５を提供するか（図２）、或いは、直接、ハンガーを吊るす。
【０００９】
本考案は、更に、主棒架1A、１Bの底座１４下方に輪座１６を設置し、輪座１６下方にローラー１７を装着する。もちろん、輪座１６はローラーを装着しなくてもよい。
【００１０】
本考案の置物架３は、竹材を編製して置物平面にし、更に、置物平面の周辺に環枠を有し、使用者は、杭１５により、主棒架1A、１Bのホール１３を穿過して、置物架３の側壁に鎖入され、置物架３が主棒架１の間に固定され、収納できる。最下方の置物架３は、直接、環枠を底座１４上に配置し、更に、杭により置物架３を底座１４上に鎖固する。
【００１１】
本考案の横棒２は、木材か竹材からなり、よって、使用者は杭１５により、主棒架１A、１Bのホールを穿過して、横棒２の端部に鎖入し、横棒２は両主棒架１A、１Bの間に位置させる。横棒２も衣類を掛けることができる。
【００１２】
図３と図４は、本考案の第二実施例を示す図である。構造は、図１と図２の構造と同じであるが、異なるのは、図３、図４は、対の主棒架１A、１Bの上端近くにそれぞれ、湾曲部１８を形成し、湾曲部１８がホールを有することである。両主棒架の湾曲部が相互に寄合する時、固定素子により互いを固定することができる。本考案の実施例によると、固定素子はねじ１９とナット１９１である。主棒架１A、１Bの湾曲部が相互い寄合して両ホールに対応する時、ねじ１９は両ホールを穿過して、ナット１９１によりねじ１９を固定し、両主棒架の固定が完成する。この他、図３と図４は、図１、図２の置物架３と横棒２と数量が異なり、図３、図４の置物架３は、複数の木棒によりなり、且つ、主棒架の下端はローラーを設置しない。同様に、図４で示されるように、横棒２は、吊り棚５を設置する。
【００１３】
図５は、本考案の第三実施例を示す図である。図３、図４の構造とほぼ同じであるが、使用する主棒架１Aと１Bの数量が少なく、横棒２と置物架３の数量も同様に少ないので、小型のラックが構成される。
【図面の簡単な説明】
【００１４】
【図１】本考案の第一実施例による主要素子の組み合わせ関係を示す立体分解図である。
【図２】図１の素子組み合わせ後の立体図である。
【図３】本考案の第二実施例の主要素子に組み合わせ関係を示す立体分解図である。
【図４】図３の素子組み合わせ後の立体図である。
【図５】本考案の第三実施例の立体図である。
【符号の説明】
【００１５】
１A  第一主棒架
１B  第二主棒架
１１  槽
１２  補強ブロック
１３  ホール
１４  底座
１５  杭
１６  輪座
１７  ローラー
１８  湾曲部
１９  ねじ
１９１  ナット        
２  横棒
３  置物架      
４  掛け棒        
５  吊り棚      
【図１】
0003136995.tif 000003
【図２】
0003136995.tif 000004
【図３】
0003136995.tif 000005
【図４】
0003136995.tif 000006
【図５】
0003136995.tif 000007
(57)【要約】【課題】仰臥時の頭部を安定させるとともに、内部の粒塊物質で頭部に適度な圧迫刺激が得られ、更に当該物質の発するマイナスイオンにより、安定安眠、肩こり解消を享受しやすい、携帯、折畳み及び洗濯が容易な軽量薄型の枕を提供する。【解決手段】粒径が適度にそろった総重量１ｋｇ未満のトルマリンを、トルマリン粒塊の凹凸感触が得られる厚みで、かつ一定の間隔に仕切り区分された充填袋体に、均一に充填する。【選択図】図１
0003136996.tif 000002
【実用新案登録請求の範囲】
【請求項１】
不定形の粒塊物質を充填する枕において、一定の面積当たりで粒塊の重量が均一になるよう充填袋が仕切り区分され、かつ、当該粒塊物質がマイナスイオンを発することを特徴とする軽量薄型の枕。
【請求項２】
前記マイナスイオンを発する粒塊物質は、トルマリン鉱石を含む物質であることを特徴とする請求項１に記載の枕。
【請求項３】
前記枕の充填袋は、充填物質の凹凸の感触が得られる厚みと柔軟性を有する晒し綿であることを特徴とする請求項１に記載の枕。
【請求項４】
前記枕の総重量は１ｋｇ未満であることを特徴とする請求項１に記載の枕。
【請求項５】
前記枕の厚みは、１ｃｍ以下の薄型であることを特徴とする請求項１に記載の枕。
【考案の詳細な説明】
【技術分野】
【０００１】
本発明は、仰臥時の頭部を安定させるとともに、内部の粒塊物質で頭部に適度な圧迫刺激を与える、携帯、折畳み及び洗濯が容易な軽量薄型の枕に関し、特に、前記枕の充填物質がトルマリン鉱石を含む物質である枕に関するものである。
【背景技術】
【０００２】
近年、高度社会環境下における人々のストレス増大とともに、快適な睡眠への要求はますます高まり、これによる寝具、特に枕に関する市場は増加傾向にあり、その種類は多岐に亘る。これに伴い枕の充填材やサイズ、厚み及び形状、機能等も様々な工夫が施され、それぞれの目的に応じ変化してきている。
【０００３】
例えば充填材としては、種々の充填物が使用され、何れの充填物も安眠を図るために工夫されたもので、疲労回復の効果を有している。文献１には、マイナスイオンを発生させる鉱石を充填することにより、安眠促進を図る枕の例が、記載されている。
【０００４】
また、形状においては頭部の高さを調整できるようにしたものや、文献２のように、中央部と両側部の高さ及び形状を異ならせることで仰臥状態及び側臥状態の姿勢に対応し頭部を安定させようとする枕などが提案されている。
【特許文献１】登録実用新案第３０７３８５８号
【特許文献２】特表平１１−５１２３０５号
【考案の開示】
【考案が解決しようとする課題】
【０００５】
しかしながら、枕の袋体に充填材を充填するだけでは、仰臥時の頭部の重さにより、充填材が枕の左右に押し出され、枕が変形し頭部が不安定となるため、頸部を痛めてしまったり、肩こりを生じたりする原因となり、安眠を得ることができない。また、袋体の強度を高めたり、反発性の材質を使用したりすると、いかなる充填材の効果も得られにくくなる。その他、充填材や形状等の工夫が施されるも、一般的に工夫が施されるにつれ、枕本体の大きさは大きくなり、重さも増えることより、持ち運びしにくく、いつでも、どこでも安眠を得たいという携帯性に劣る。
【０００６】
この考案はかかる事情に鑑みなされたもので、仰臥状態の頭部を安定させ安眠効果及び肩こり解消効果を促進させる効果を有しつつ、軽量薄型により、携帯、折畳み及び洗濯が容易となる枕を提供することにある。
【課題を解決するための手段】
【０００７】
上記課題を解決するため、本考案の枕は一定の間隔に仕切り区分された充填袋体に、充填材を均一に充填することにより、仰臥時の充填材の移動が仕切内の範囲迄しか生じず頭部を安定させることができる。また、粒径が適度にそろっていることにより、頭部の傾きが生じず安定しやすい。
【０００８】
また充填袋体の厚みは、充填材の粒塊の凹凸感触が得られる厚みであることより、充填材の粒塊による適度な圧迫刺激を頭部に得ることができる。充填材にはマイナスイオンを発するトルマリンを使用することにより、安眠、肩こり解消を享受できる。また、充填材の総重量を１ｋｇ未満とし、軽量薄型にすることにより、携帯、折畳みが容易となる。充填袋体には晒し綿を使用することにより、洗濯も容易で衛生面でも優れた枕を提供することができる。
【考案の効果】
【０００９】
本考案の枕は、安定安眠、肩こり解消を享受しうるといった効果と、携帯、折畳み及び洗濯が容易という特徴により、いつでも、どこでも、容易に安眠を享受できるという効果を奏する。
【考案を実施するための最良の形態】
【００１０】
以下、本考案の実施の形態について、図１に基づいて説明する。
図１は本実施の形態における枕の概略図である。
本実施の形態における枕の充填袋体１１は、一定の間隔、例えば５ｃｍ×４．７ｃｍの間隔に仕切り区分され、この仕切り区分された充填袋１２（以下、ボックスと記す）に、充填材であるトルマリン１３が約９ｇずつ均一に充填されている。これにより、仰臥時に充填材が枕の左右に押し出されて偏るようなことがなくなり、頭部及び頸部に不自然な力がかかる事を防ぐことができる。
【００１１】
枕の充填袋体１１の材質には、トルマリンの粒塊の凹凸感触が得られる厚みの晒し綿を用いると、粒径が適度にそろったトルマリンの粒塊による適度な圧迫刺激を頭部に得ることができ、安眠が図れる。また充填材のトルマリンがマイナスイオンを発することにより、安眠、肩こり解消を促進することができる。
【００１２】
枕全体の大きさは、前記ボックスの配列数を任意に変えることにより、自在に調整できる。但し、本考案の特長である持ち運び易さ、すなわち携帯性を考慮すると、充填材の総重量は１ｋｇ未満が好ましく、枕として長方形の形状を得るボックス配列としては、７列×１５列程度の大きさとなる。
【００１３】
枕の厚みは、ボックス面積に対する充填材の量より、必然的に１ｃｍ以下の薄型となる。
ボックスは、一つの枕となる充填袋体に充填しながら、縫製しても、個々に製作して、後で縫合して枕に仕上げても良い。いずれにしても、この縫合部を折り目として、折り畳むことが可能で、厚みが薄いことより、丸めても容易に携帯することができる。
【００１４】
充填袋体に晒し綿が用いられ、軽量薄型であることより、洗浄性が良く、乾燥も早速いことより、枕を丸ごと水洗いすることができ、衛生面でも優れた携帯型枕として利用できる。
【００１５】
図２には、一般的枕の概略図を図１と比較のために示す。
【図面の簡単な説明】
【００１６】
【図１】本考案の実施の形態になる枕の概略図
【図２】一般的な枕の概略図
【符号の説明】
【００１７】
１１  充填袋体
１２  仕切り区分された充填袋（ボックス）
１３  トルマリン充填材
２１  枕本体
【図１】
0003136996.tif 000003
【図２】
0003136996.tif 000004
(57)【要約】【課題】コンパクトに収納できて携帯に便利な箸を提供すること。【解決手段】一端部に使用者が把握するための握持部１０２を設けると共に、他端部に物品を挟むための挟持部１０１を設け、握持部１０２の内部に収納中空部１０３を長手方向に沿って形成し、収納中空部１０３は挟持部寄りの表面に開口し、この開口を通して対を成す箸１０の挟持部１０１を収納中空部１０３へ挿入可能としてある。挟持部１０１の表面には複数の溝１０１１を形成しても良い。【選択図】図１
0003136987.tif 000002
【実用新案登録請求の範囲】
【請求項１】
一端部に使用者が把握するための握持部を設けると共に、他端部に物品を挟むための挟持部を設け、前記握持部の内部に収納中空部を長手方向に沿って形成し、該収納中空部は前記挟持部寄りの表面に開口し、この開口を通して対を成す箸の挟持部を前記収納中空部へ挿入可能としてあることを特徴とした箸。
【請求項２】
前記挟持部の表面に複数の溝を形成した請求項１に記載の箸。
【請求項３】
前記溝により模様を形成してある請求項２に記載の箸。
【請求項４】
前記収納中空部の側面に、前記開口から前記握持部の先端に亘ってスリットを設け、該スリットの幅を前記挟持部の直径よりも狭く形成してある請求項１〜３のいずれかに記載の箸。
【考案の詳細な説明】
【技術分野】
【０００１】
本考案は、携帯に便利な箸に関する。
【背景技術】
【０００２】
飲食店では、使用後に洗う手間を省くために、竹や木材を素材とする使い捨ての箸を使用するのが一般的である。このような使い捨ての箸は、便利ではあるものの、木材資源を無駄にし、環境破壊をもたらす要因ともなっている。
また、使い捨ての箸は、製造段階で漂白剤を用いて消毒を行っているが、洗浄しても漂白剤の一部が残留してしまい、このような使い捨て箸を使用すると、漂白剤を摂取することになって健康上も問題がある。
【０００３】
近年、環境破壊に対する意識が高まっており、飲食店等で使い捨ての箸を利用しないで済むよう、常に箸を携帯する人が増加している。
携帯用の箸は、通常、金属、プラスチック等の比較的軽い素材より成り、これをケースに入れたり、バンドで縛って携帯している。
しかし、箸をケースに収納すると嵩張って重量も重くなり、携帯に不便である。また、２本の箸をバンドで縛っただけでは、持ち運んでいる間に抜け落ちる虞があり、しかも、食べ物を挟む挟持部が様々な物に触れて不衛生である。
【考案の開示】
【考案が解決しようとする課題】
【０００４】
本考案が解決しようとする課題は、コンパクトに収納できて携帯に便利な箸を提供することにある。
【課題を解決するための手段】
【０００５】
本考案の箸は、一端部に使用者が把握するための握持部を設けると共に、他端部に物品を挟むための挟持部を設け、前記握持部の内部に収納中空部を長手方向に沿って形成し、該収納中空部は前記挟持部寄りの表面に開口し、この開口を通して対を成す箸の挟持部を前記収納中空部へ挿入可能としてある。
前記挟持部の表面に複数の溝を形成しても良い。
この場合、前記溝により模様を形成することもある。
前記収納中空部の側面に、前記開口から前記握持部の先端に亘ってスリットを設け、該スリットの幅を前記挟持部の直径よりも狭く形成しても良い。
【考案の効果】
【０００６】
本考案によれば、一対の箸を互いに結合させて一体化することができるので、嵩張らず携帯に便利であり、携帯時には、食べ物等を挟む挟持部が収納中空部に挿入されるため、様々な物に触れることが無く、衛生的である。
【考案を実施するための最良の形態】
【０００７】
以下、本考案の実施例を図面に基づいて詳細に説明する。
本考案の箸１０は、２本一対として使用及び携帯するものであり、成形しやすく、軽量で繰り返し洗浄できる金属、プラスチック等を素材とする。箸１０は、素材に応じて、射出成形、切断研磨等の適した方法で成形される。
箸１０は、図１及び図２に示すように、一端部に使用者が把握するための握持部１０２を設けると共に、他端部に物品を挟むための挟持部１０１を設けてある。
しっかりと握れるように、握持部１０２は挟持部１０１よりも太くし、挟んだ物品が滑らないように、挟持部１０１の周面には複数の溝１０１１を形成してある。なお、溝１０１１を利用してさまざまな模様を表示することもできる。
【０００８】
握持部１０２の内部には長手方向に沿って収納中空部１０３を形成する。収納中空部１０３は握持部１０２の先端（箸１０の一端）から挟持部１０１と連続する部分にまで形成され、収納中空部１０３の直径は挟持部１０１の直径よりも僅かに大きくしてある。
また、収納中空部１０３は挟持部１０１寄りの表面に開口し、収納中空部１０３の側面には、この開口から握持部１０２の先端に亘ってスリット１０３１を形成してある。収納中空部１０３の開口は、挟持部１０１を挿入できる幅を有する。
また、図４に示すように、スリット１０３１の幅は、その奥部１０３２の直径及び挟持部１０１の直径よりも狭くなっている。
【０００９】
箸１０を携帯する際には、図３に示すように、対を成す２本の箸１０を互いに逆向きに配置し、一方の箸１０の挟持部１０１を他方の箸１０の収納中空部１０３へ、他方の箸１０の挟持部１０１を一方の箸１０の収納中空部１０３へ、それぞれの開口から挿入した後、これら２本の箸１０を逆方向に摺動させて、挟持部１０１を相手側の握持部１０２の先端に向って押し込み、２本の箸１０を一体に組み込む。
収納中空部１０３の直径は挟持部１０１の直径よりやや大きいので、挟持部１０１は完全に握持部１０２の内部に収納され、一体化された２本の箸１０は、１本の箸１０の握持部１０２の直径と同じとなって、嵩張らない。
【００１０】
また、収納中空部１０３のスリット１０３１は挟持部１０１の直径よりも幅が狭いので、このスリット１０３１を通して挟持部１０１が収納中空部１０３から脱出することはない。
さらに、収納中空部１０３の直径は挟持部１０１の直径より僅かに大きいだけなので、手で強制的に操作しない限り、挟持部１０１が摺動して収納中空部１０３から抜け出る心配もない。
【図面の簡単な説明】
【００１１】
【図１】本考案の実施例を示す箸の斜視図。
【図２】本考案の実施例を示す箸の側面図。
【図３】本考案の実施例を示す箸の収納状態における側面図。
【図４】本考案の実施例を示す箸の収納状態における端面図。
【符号の説明】
【００１２】
１０  箸
１０１  挟持部
１０１１  溝
１０２  握持部
１０３  収納中空部
１０３１  スリット
１０３２  奥部
【図１】
0003136987.tif 000003
【図２】
0003136987.tif 000004
【図３】
0003136987.tif 000005
【図４】
0003136987.tif 000006
(57)【要約】      （修正有）【課題】視力の弱い人や暗い作業場でも能率よく糸通し作業ができる簡易な構成の拡大鏡付き糸通し器を提供する。【解決手段】  ミシン針と糸のそれぞれの位置決め溝を形成したガイド部と、前記ガイド部を固定した操作部と、ガイド部によって位置決めされた糸をミシン針に対して押し付けるロッドとを備え、さらに前記操作部にガイド部の位置決め溝と糸を拡大する拡大鏡２０を取付けた。【選択図】図１
0003136986.tif 000002
【実用新案登録請求の範囲】
【請求項１】
ミシン針と糸のそれぞれの位置決め溝を先端に形成したガイド部と、このガイド部を取付けた操作部と、前記ガイド部の内部に設けられ、前記操作部によって進退するロッドとからなる糸通し器を構成すると共に、
前記操作部に嵌合する嵌合部と、この嵌合部に取付けた支持部と、前記支持部の先端に取付けたレンズとからなる拡大鏡を構成し、
前記拡大鏡を前記糸通し器に取付けてなる拡大鏡付き糸通し器。
【考案の詳細な説明】
【技術分野】
【０００１】
本考案は、ミシン針及び縫い針の糸通し器に関し、特に視力の弱い人や採光が不十分な現場でも能率よく糸通し作業ができる拡大鏡付き糸通し器に関するものである。
【背景技術】
【０００２】
本願考案者は、特許文献１において視力問題に対応し得るミシン針の糸通し器を提案した。この考案はミシン針と糸のそれぞれの位置決め溝を形成したガイド部を先端に備えたミシン針の糸通し器において、前記ガイド部の針の位置決め溝を形成する両ガイド壁を互いに異なる高さに形成し、高い方のガイド壁の超越範囲でミシン針を側方から受けうる高さ寸法に形成したものである。
【特許文献１】実用新案登録第３０５６６８３号
【０００３】
前記特許文献１のミシン針の糸通し器は、両ガイド壁を互いに異なる高さに形成するため構造が複雑となり、製作時に時間とコストがかかるという問題点があった。
【考案の開示】
【考案が解決しようとする課題】
【０００４】
本考案は上記の点に鑑みなされたものであり、熟練者でない一般の作業者にも簡便に使用でき、特に視力の弱い人や採光の悪い現場において効果を発揮する簡易な構成の拡大鏡付き糸通し器を提供することを目的とする。
【課題を解決するための手段】
【０００５】
本考案の要旨とするところは、ミシン針と糸のそれぞれの位置決め溝を先端に形成したガイド部と、このガイド部を取付けた操作部と、前記ガイド部の内部に設けられ、前記操作部によって進退するロッドとからなる糸通し器を構成すると共に、前記操作部に嵌合する嵌合部と、この嵌合部に取付けた支持部と、前記支持部の先端に取付けたレンズとからなる拡大鏡を構成し、前記拡大鏡を前記糸通し器に取付けてなる拡大鏡付き糸通し器である。
【考案の効果】
【０００６】
上記の拡大鏡付き糸通し器は拡大鏡を取付けてあるため、作業者はガイド部の位置決め溝を利用して、糸を拡大鏡で視認しながら作業をすることができる。
そのため本考案は、簡易な構成でありながら一般の作業者だけでなく視力の弱い人に対して、あるいは採光の悪い作業現場においても正確で迅速な糸通し作業ができ、縫製作業の能率が向上するのである。
【考案を実施するための最良の形態】
【０００７】
本考案の最良の実施の形態は、ミシン針と糸のそれぞれの位置決め溝を先端に形成したガイド部と、このガイド部を取付けた操作部と構成し、前記ガイド部の内部に設けられ、操作部によって糸をミシン針に押し付けるように進退するロッドとからなる糸通し器を構成する。
一方、前記操作部に嵌合する嵌合部を構成し、この嵌合部の上部に取付けた支持部と、前記支持部の先端にレンズを取付けた拡大鏡を構成する。そして、前記拡大鏡の嵌合部を前記糸通し器の操作部に着脱自在に嵌合してなるものである。
【０００８】
本考案の一実施形態について図面に基づいて説明する。
図１は拡大鏡の斜視図、図２は全体斜視図、図３及び図４は本考案の作用説明図である。
【０００９】
拡大鏡付き糸通し器１は、ミシン針Ｂと糸Ａとをそれぞれ位置決めするためのガイド部２とこのガイド部２に対して進退可能に設けた操作部３とからなる。この操作部３の内部に前記ガイド部２を貫通して進退するロッド１３を固定している。符号４は糸掛部である。
【００１０】
上記ガイド部２は、縦方向に延びるミシン針Ｂを位置決めするＶ字断面溝６と糸Ａを横位置に位置決めするためのＹ字断面溝５とを備える。このＹ字断面溝５の溝底に糸Ａを横位置に位置決めする。
【００１１】
一方、前記操作部３に着脱自在に取付け可能な拡大鏡２０を構成する。
この拡大鏡２０は、拡大鏡付き糸通し器１の操作部３に嵌合可能な筒状の嵌合部２１を構成し、この嵌合部２１の上端に支持部２３を取付ける。そして前記支持部２３の先端に、レンズ２２を角度調節機構２４を介して角度変更可能に取付けてなるものである。
【００１２】
上記構成の本考案の拡大鏡付き糸通し器の作用を説明する。
まず、図２に示すように、拡大鏡２０の嵌合部２１を拡大鏡付き糸通し器１の操作部３に嵌合する。次に、糸Ａをガイド部２先端のＹ字断面溝５の溝底に配置すると共に、その端部を糸掛部４に掛けて安定させる。
【００１３】
図３に示すように、拡大鏡付き糸通し器１の先端のガイド部２をミシン針Ｂの針穴Ｂａの下方に近づけていき、Ｖ字断面溝６でミシン針Ｂを挟むようにして接触させる。その後、操作部３を操作してガイド部２内部のロッド１３を前方に押し出していく。
【００１４】
操作部３を押し出していくと、操作部３と一体のロッド１３によって糸Ａがミシン針Ｂに押し付けられる。そのままミシン針Ｂに沿ってガイド部２を上方に移動すると、針穴Ｂａに臨んだ時にロッド１３の先端が針穴Ｂａに進入して、糸Ａを針穴Ｂａに通すのである（図４参照）。
【００１５】
上述の作業過程において、作業者は常に拡大鏡２０を用いて作業が行えるので、手元が拡大されて作業が容易かつ確実に行える。特に視力の弱い人の作業が正確になり効率が向上する。
前記拡大鏡２０は、角度調節機構２４によってレンズ２２が起伏自在となっているから、作業者の視力の度合いや作業位置等によってレンズ２２の位置を適宜決めることができる。
【００１６】
上述のように本考案の拡大鏡付き糸通し器は、ガイド部の形状を変更したり大型化することなく、簡易な構成により視力の弱い作業者に適合すると共に、手元の暗い作業現場でもミシン針に糸を容易かつ正確に通すことができるのである。
【００１７】
また、上述の本考案は、図示しないが通常の縫い針に糸を通す場合にも使用することができる。そのときの使用方法は前述と同様のため説明を省略する。
【図面の簡単な説明】
【００１８】
【図１】本考案の一実施形態の拡大鏡の斜視図
【図２】本考案の一実施形態の全体斜視図
【図３】本考案の一実施形態の作用説明図
【図４】本考案の一実施形態の作用説明図
【符号の説明】
【００１９】
１  拡大鏡付き糸通し器
２  ガイド部
３  操作部
４  糸掛部
５  Ｙ字断面溝
６  Ｖ字断面溝
１３  ロッド
２０  拡大鏡
２１  嵌合部
２２  レンズ
２３  支持部
２４  角度調節機構
Ａ  糸
Ｂ  ミシン針
【図１】
0003136986.tif 000003
【図２】
0003136986.tif 000004
【図３】
0003136986.tif 000005
【図４】
0003136986.tif 000006